(57)【要約】【課題】  伝統ある木造軸組工法を継承しつつ、より地震・災害に強い構造の木造住宅であるとともに、「木の家」の良さも十分に発揮できる住宅を提供する。また、断熱性も良好な住宅を提供する。【解決手段】  木質系材料からなる柱、土台を備えた木造住宅において、  柱および土台が、各々対をなす２本の木質系材料により構成される。柱は、隅部において４本で構成されることになり、強度が担保される。  上記対をなす柱及び土台により形成される空所に壁材として断熱材を挿入する。【選択図】図１
0003163803.tif 000002
【実用新案登録請求の範囲】
【請求項１】
木質系材料からなる柱、土台を備えた木造住宅において、
柱および土台が、各々対をなす２本の木質系材料により構成されていることを特徴とする木造住宅の構造。
【請求項２】
上記対をなす柱及び土台により形成される空所に挿入する壁材として断熱材を使用し、壁面を構成することを特徴とする請求項１記載の木造住宅の構造。
【考案の詳細な説明】
【技術分野】
【０００１】
本考案は、より地震・災害に強い木造住宅に関し、特に土台及び柱の構造に特徴を有する木造住宅の構造に関する。
【背景技術】
【０００２】
木造住宅の構造は、木材からなる土台に木材からなる柱を立設した軸組構造を基本とするが、従来のものは、その土台、柱はいずれも一本の木材を用いるのが通例であった。
【０００３】
木造住宅において、木材の接合部分を強化して耐震性を与えることは、多く試みられており、例えば、柱に備えられるホールダウン金物とコンクリート基礎面に接着された受け金物とをボルトで垂直方向に引き寄せる方法（特許文献１）などが知られており、また、枠組構造と併用する方法（特許文献２）も提案されている。
【先行技術文献】
【特許文献】
【０００４】
【特許文献１】特開２００９−２４３１８４号公報
【特許文献２】実公平７−４００１号公報
【考案の概要】
【考案が解決しようとする課題】
【０００５】
従来試みられていた接合部分の補強等では、その耐震性など、必ずしも満足の行くものではなく、また、木造住宅における従来工法を採用できず、「木」を使用することの良さも損ないかねないものでもあった。
【０００６】
本考案においては、伝統ある木造軸組工法を継承しつつ、より地震・災害に強い構造の木造住宅を提供しようとするものであり、「木の家」の良さも十分に発揮できる住宅の提供を課題とする。さらには、強度に加え。断熱性も良好な住宅の提供を課題とする。
【課題を解決するための手段】
【０００７】
本考案は、上記課題を解決するために、土台および柱をそれぞれ一対の木質系材料で構成することを主たる特徴とし、以下の技術を基礎とする。
【０００８】
（１）木質系材料からなる柱、土台を備えた木造住宅において、柱および土台が、各々対をなす２本の木質系材料により構成されていることを特徴とする木造住宅の構造。
【０００９】
（２）上記の対をなす柱及び土台により形成される空所に挿入される壁材として断熱材を使用し、壁面を構成することを特徴とする（１）記載の木造住宅の構造。
【考案の効果】
【００１０】
本考案の木造住宅の構造を採用することにより、木造住宅の良さを損なうことなく、本格的日本建築美を追求しつつも、地震、災害に強い、安心、安全な住宅を提供することができる。
【００１１】
木材に代表される、再利用できる、いずれ土に帰る木質系材料を使用し、新建材を使用しないため、地球環境へ配慮した、地球にやさしい住宅を建築することができる。
また、対をなす柱及び土台間に断熱材を挿入し壁面を構成した場合には、より断熱効率に優れた住宅、ひいてはよりエコな住宅を提供することができる。
【図面の簡単な説明】
【００１２】
【図１】本考案の木造住宅における、土台、柱及び壁材の配置を示す図である。
【図２】本考案の木造住宅の設計図の一部を示す図である。
【図３】本考案の木造住宅において、４本の柱で構成された隅部における、土台、柱及び壁材の配置を示す図である。
【考案を実施するための形態】
【００１３】
図面に示されるように、土台１及び柱２は、各々対をなす２本の木質系材料により構成されている。対をなす構造を採用することにより、その強度は増大する。
そして、柱が対で構成される結果、隅部においては４本の柱から構成されることになり、より堅固な軸組を構築する。
壁材３は、それら各対の土台、柱の間に挿入することができ、施工容易であると共に、さらに強度を増すことができる。
【００１４】
対構造を採用することにより、木質系材料のみでも十分な強度を要する住宅となる。
そして、外郭が２重構造となるため、内側において、建築基準法に規定される強度を確保すれば、その外側を木質系材料のみで構成し、伝統工法を採用することができる。
すなわち、内側に位置する土台、柱の軸組みにおいては補強金具等を適用して必要な強度を得、外側は修飾を目的とし、木質系材料のみで構成、伝統的な木造軸組工法を採用することができる。
使用する木材も、その土地にあった種類の材料を選択でき、地場の天然無垢材、集成材、古材、廃材を使用することができる。
【００１５】
寒冷地における場合のように、住宅に断熱性が要求される場合には、壁材として、ウレタン樹脂系材料などの断熱材を用いることができる。温暖な地であっても、冷暖房の効率を考慮すれば、断熱材の使用は必須であり、よりエコな住宅となる。
【００１６】
以下、本考案の実施例を、図面を用いて説明する。なお、本考案が実施例に限定されるものでないことはいうまでもない。
【実施例】
【００１７】
図１に示すように、土台１、柱２、壁材３及び床材４を組み立て、本考案の木造住宅を構築する。住宅の外郭に配置される柱は、対をなす２本の木材で構成する（図２の住宅設計図も参照）。その結果、隅部は４本の柱材で構成されることになる（図３参照）。
【００１８】
土台１は、柱２に対応して、対をなす構造とする。壁面を構成する場合、壁材３は、土台１及び柱２の各対の間に挿入する。
壁材３には、寒冷地基準に適った断熱壁材など、必要に応じて適切な断熱材を使用する。
【００１９】
外郭の内側において、土台、柱の組み立てを補強金具を用いて行い、建築基準法で要求される強度を得た場合には、外側は金具を一切使わずに組み立て、木材のみで構成する。その場合には、木材のみの使用時に比べ、総建築費用を抑えることもできる。
【産業上の利用可能性】
【００２０】
本考案の構成を採用することにより、地球に優しい材料である木質系材料を用いて、地震、災害に強い木造住宅を建造することができ、地場の天然無垢材、古材、廃材の使用も可能となり、より地球に優しい住宅とすることができる。
また、木質系材料、特に木材を使用することにより、伝統ある木造軸組工法が採用でき、本格的「日本建築美」を追求した住宅とすることができる。
さらには、社寺や茶室など、伝統的日本建築にも適用することができるなど、利用可能性の広がりが期待できるものである。。
【符号の説明】
【００２１】
１  土台    
２  柱  
３  壁材  
４  床材  
【図１】
0003163803.tif 000003
【図２】
0003163803.tif 000004
【図３】
0003163803.tif 000005
【手続補正書】
【提出日】平成22年8月30日(2010.8.30)
【手続補正１】
【補正対象書類名】実用新案登録請求の範囲
【補正対象項目名】全文
【補正方法】変更
【補正の内容】
【実用新案登録請求の範囲】
【請求項１】
木質系材料の角材からなる柱、土台を備えた木造住宅において、
住宅の外郭に位置する土台は、対をなすように隙間を隔てて２本づつ平行に配置され、
土台上に立設される柱は、土台の長手方向に対し水平方向直角な線上に並ぶように、２本づつの対をなして配置され、
対をなす柱および土台は隙間を隔てて対峙することにより空所を形成しており、
住宅の隅部においては、対をなす２本の柱が２対集合し、断面が各柱を頂点とする正方形を構成するように、４本の柱が隙間を隔てて配置されている
ことを特徴とする木造住宅の構造。
【請求項２】
上記対をなす柱及び土台により形成される空所に挿入する壁材として断熱材を使用し、壁面を構成することを特徴とする請求項１記載の木造住宅の構造。
【手続補正２】
【補正対象書類名】明細書
【補正対象項目名】０００８
【補正方法】変更
【補正の内容】
【０００８】
（１）木質系材料の角材からなる柱、土台を備えた木造住宅において、住宅の外郭に位置する土台は、対をなすように隙間を隔てて２本づつ平行に配置され、
土台上に立設される柱は、土台の長手方向に対し水平方向直角な線上に並ぶように、２本づつの対をなして配置され、
対をなす柱および土台は隙間を隔てて対峙することにより空所を形成しており、
住宅の隅部においては、対をなす２本の柱が２対集合し、断面が各柱を頂点とする正方形を構成するように、４本の柱が隙間を隔てて配置されている
ことを特徴とする木造住宅の構造。
【手続補正３】
【補正対象書類名】明細書
【補正対象項目名】００１３
【補正方法】変更
【補正の内容】
【００１３】
図面に示されるように、土台１及び柱２は、各々対をなす２本の木質系の角材により構成されている。対をなす構造を採用することにより、その強度は増大する。
そして、柱が対で構成される結果、隅部においては４本の柱から構成されることになり、より堅固な軸組を構築する。
壁材３は、それら各対の土台、柱が隙間を隔てて対峙することにより形成される空所に挿入することができ、施工容易であると共に、さらに強度を増すことができる。